(57)【要約】【課題】  安価な料金先払い式給湯システムを提供する。【解決手段】  各給湯器が有する比例弁２２の開度に基づき、各給湯器に供給されたガス量を個別に求め、ガス供給の遮断については給湯器の元電磁弁２０等により行う。一方、全ての給湯器に供給されるトータルのガス量については、管理者ガスメータの計量結果に応じて支払う。これにより、管理用ガスメータ以外のガスメータを設けずとも料金先払いシステムを構築することができ、安価に済む。【選択図】図１
2006145202.tif 000002
【特許請求の範囲】
【請求項１】
通水される水を燃料ガスの燃焼熱により加熱するバーナと、
前記バーナへのガス供給路を開閉する開閉弁と、
前記バーナに供給されるガス量を求めるガス量導出手段と、
記憶媒体の読込みを行うことにより、先払い金額に対応した先払いデータを得るとともに、前記ガス量導出手段にて求められたガス量に基づき先払いデータを演算して前記記憶媒体への書込みを行う読み書き手段と、
前記先払いデータが所定値に達するまでは、前記開閉弁の開を許可して前記バーナへのガス供給を許容する一方、前記先払いデータが所定値に達した際には、前記開閉弁の開を禁止して前記バーナへのガス供給を禁止するガス供給禁止手段、
を有する一または複数の給湯器と、
全給湯器へ供給される総ガス量を一括して計量する管理用ガスメータ、
を備え、
全給湯器に供給された燃料ガスの精算については、前記管理用ガスメータによる計量値に基づき一括して行い、
各給湯器が使用した燃料ガスの精算については、前記先払いデータの減算処理により給湯器毎に個別に行う
ことを特徴とする料金先払い式給湯システム。
【請求項２】
前記所定値に達するまでの値を第２所定値として設定し、前記先払いデータが所定値と第２所定値との間にある際に、その旨を報知する報知手段を設ける請求項１に記載の料金先払い式給湯システム。
【請求項３】
前記給湯器は、前記バーナへのガス供給路の開度を調整するガス量調整弁と、
出湯温度を設定温度に近づけるような前記ガス量調整弁の制御量を演算して、ガス量調整弁を駆動制御する弁制御手段を備え、
前記ガス量導出手段は、前記制御量に対応した値或は制御結果に対応した値を積算することでガス量を計量するものである請求項１または２に記載の料金先払い式給湯システム。
【請求項４】
前記記憶媒体はカードに設けられる請求項１〜３のいずれかに記載の料金先払い式給湯システム。
【請求項５】
前記読み書き手段は、前記バーナを備える器具本体から独立して設けられる請求項１〜４のいずれかに記載の料金先払い式給湯システム。
【請求項６】
前記読み書き手段は、給湯器の操作を行うリモートコントローラと一体に設けられる請求項５に記載の料金先払い式給湯システム。
【請求項７】
前記読み書き手段は前記器具本体から着脱可能に設けられ、該器具本体に該読み書き手段が一度も接続されていない状態では、前記ガス供給禁止手段を無効にする一方、前記器具本体に前記読み書き手段が一度でも接続された状態では、前記ガス供給禁止手段を有効とする請求項１〜６のいずれかに記載の料金先払い式給湯システム。
【発明の詳細な説明】
【技術分野】
【０００１】
本発明は、先払いした金額に応じて、給湯器へのガス供給を行う料金先払い式給湯システムに関するものである。
【背景技術】
【０００２】
従来、予め支払われた料金に対応する残量が記憶されるプリペイドカードを挿入することにより、プロパンガス等の燃料ガスの供給を許容するガス供給制御装置が知られている。このようなガス供給制御装置は、ガス供給路を遮断する遮断弁と、使用ガス量を計量するガスメータと、プリペイドカードが挿抜されるカードリーダ・ライタを備え、残量があるプリペイドカードが挿入された場合には、ガス供給路を開いてガス使用を許諾するようにされている。そして、前記計算部により計算されたガス使用量に基づき、プリペイドカードの残量を減算し、当該残量が０になったときに前記遮断弁を遮断してガス使用を禁止するようにされている。
【発明の開示】
【発明が解決しようとする課題】
【０００３】
ところで、前記ガス供給制御装置を使用し、集合住宅におけるガス料金の先払いシステムを構築しようとした場合、以下のような問題点がある。すなわち、各部屋に供給されるガス量を計量する必要から、各部屋のガス引込口毎にガスメータを設ける必要があるが、当該ガスメータは高価なものであることから、先払いシステムを構築するための設置費用が高くなるという問題点がある。特に近年では、ガス器具としては給湯器のみを使用し、料理には電気加熱調理器を用いるという生活スタイルが増えてきているが、このようなケースの場合に、すべての部屋にガス供給制御装置を設けるのは過剰設備となり、好ましくない。
【０００４】
本発明は、このような問題点を解決するためになされたものであり、使用者が先払いした金額に応じた各部屋における給湯を可能とする料金先払い給湯システムを安価に提供することを目的とするものである。
【課題を解決するための手段】
【０００５】
前記目的を達成するために、本発明による料金先払い式給湯システムは、
通水される水を燃料ガスの燃焼熱により加熱するバーナと、
前記バーナへのガス供給路を開閉する開閉弁と、
前記バーナに供給されるガス量を求めるガス量導出手段と、
記憶媒体の読込みを行うことにより、先払い金額に対応した先払いデータを得るとともに、前記ガス量導出手段にて求められたガス量に基づき先払いデータを演算して前記記憶媒体への書込みを行う読み書き手段と、
前記先払いデータが所定値に達するまでは、前記開閉弁の開を許可して前記バーナへのガス供給を許容する一方、前記先払いデータが所定値に達した際には、前記開閉弁の開を禁止して前記バーナへのガス供給を禁止するガス供給禁止手段、
を有する一または複数の給湯器と、
全給湯器へ供給される総ガス量を一括して計量する管理用ガスメータ、
を備え、
全給湯器に供給された燃料ガスの精算については、前記管理用ガスメータによる計量値に基づき一括して行い、
各給湯器が使用した燃料ガスの精算については、前記先払いデータの減算処理により給湯器毎に個別に行う
ことを特徴とするものである（第１発明）。
【０００６】
第１発明において、前記所定値に達するまでの値を第２所定値として設定し、前記先払いデータが所定値と第２所定値との間にある際に、その旨を報知する報知手段を設けるのが好ましい（第２発明）。
【０００７】
前記給湯器は、前記バーナへのガス供給路の開度を調整するガス量と、
出湯温度を設定温度に近づけるような前記ガス量調整弁の制御量を演算して、ガス量調整弁を駆動制御する弁制御手段を備え、
前記ガス量導出手段は、前記制御量に対応した値或は制御結果に対応した値を積算することでガス量を計量するものであるのが好ましい（第３発明）。
【０００８】
また、前記記憶媒体はカードに設けられるのが好ましい（第４発明）。
【０００９】
また、前記読み書き手段は、前記バーナを備える器具本体から独立して設けられるのが好ましく（第５発明）、給湯器の操作を行うリモートコントローラに設けられるのが特に好ましい（第６発明）。
【００１０】
さらに、前記読み書き手段は前記器具本体から着脱可能に設けられ、該器具本体に該読み書き手段が一度も接続されていない状態では、前記ガス供給禁止手段を無効にする一方、前記器具本体に前記読み書き手段が一度でも接続された状態では、前記ガス供給禁止手段を有効とするのが好ましい（第７発明）。
【００１１】
前記第１発明に係る料金先払い式給湯システムによれば、一または複数の給湯器と、全給湯器に供給される総ガス量を一括して計量する管理用ガスメータを備えている。ここで、各給湯器に供給されるガス量については、給湯器の構成要素たるガス量導出手段にて計量され、先払いデータが所定値に達した際のガス供給の禁止処理についても、同じく給湯器の構成要素たる開閉弁により行われる。したがって、全給湯器に供給される総ガス量を計量するための管理用ガスメータを除き、別途特別な装置が不要になるため、従来のガス供給制御装置を用いたものに比べ、極めて安価な料金先払い式給湯システムを構築することができる。
【００１２】
また、前記所定値を適宜設定することで（例えば０とすることで）、各給湯器におけるガスの使用を、先払いデータの範囲内に制限することができる。なお、先払い金額に対応した先払いデータとしては、特定のものに限定されるものではなく、例えばガスの体積や重量，先払いした金額，或は先払い金額に対する使用可能なガス量に等が挙げられる。
【００１３】
第２発明の構成を採用すれば、先払いデータが残り少なくなった旨を使用者に対して報知することができるため、使用者の予測に反してガス供給が禁止されるのを防止することができる。
【００１４】
次に、第３発明の構成を採用すれば、各給湯器において出湯温度が設定温度に近づくようなガス量調整弁の制御量が演算され、この演算結果に応じて当該ガス量調整弁が駆動制御される一方、前記制御量に基づき給湯器に供給されるガス量が決定される。したがって、制御量に対応した或は制御結果に対応した値を積算することにより、給湯器に供給されたガス量を簡便に計量することができる。尚、制御量に対応した値或は、制御結果に対応した値とは、制御量から導き出すことができる値、制御量を導き出せることができる値、或は制御量それ自体を意味する。例えば、バーナへのガス流量や、バーナの燃焼量、水に与えた熱量、ガス量調整弁への出力値、ガス量調整弁の開度等が例として挙げられる。
【００１５】
第４発明の構成を採用して、記憶媒体をカードに設けるようにすれば、記憶媒体の形態性が優れるので先払いデータの書き換えを簡便に行える。また、記憶媒体をメモリ内蔵タイプのものにすれば、メモリの記憶内容を書き換えることで同一のカードを継続使用できるため、カードの発行コストを低減することができる。
【００１６】
第５発明の構成を採用して、前記バーナを備える器具本体から独立して設けることにより、器具本体を屋外に設置した場合であっても読み書き手段を屋内に設置することができる。
【００１７】
また、第６発明の構成を採用すれば、読み書き手段と、給湯器の操作を行うリモートコントローラが一体となるのでコンパクト化に寄与することができる。
【００１８】
さらに、第７発明の構成を採用すれば、該器具本体に該読み書き手段が一度も接続されていない状態では、前記ガス供給禁止手段が無効となるので、給湯器を通常（料金後払い式）の給湯器として用いることができる。この一方、一度でも器具本体に読み書き手段が接続されると前記ガス供給禁止手段が有効となるので、前記給湯器は料金先払い式の給湯器として使用される。このため、同じ給湯器を、料金先払い式の用途と、料金後払い式の用途との二つの用途で使用することができる。したがって、器具本体の製造時において、ガス供給禁止手段を備える器具と、備えない器具とを作り分ける必要がなく共用することができるため、製造コストを低減することができる。しかも、一旦読み書き手段が接続される給湯器は、ガス供給禁止手段が有効であり続け、料金先払い式の給湯器としてのみ作動するため、料金未払い状態で給湯器を使用するといった不正使用を確実に防止することができる。
【発明を実施するための最良の形態】
【００１９】
次に、本発明による料金先払い式給湯システムの具体的な実施の形態について図面を参照しつつ説明する。
【００２０】
図１には、本発明の一実施形態に係る料金先払い式給湯システムの構成要素である給湯器の概略構成図が、図２には、給湯器の行なう制御処理を表わすフローチャートがそれぞれ示されている。
【００２１】
本実施形態に係る料金先払いシステムは、特に集合住宅において好適に適用されるものであり、集合住宅の各部屋に設けられる複数の給湯器と、全ての給湯器に供給される総ガス量を一括して計量する管理者用のガスメータ（図示せず）を備えて構成されている。
【００２２】
前記各給湯器は、図１に示されるように、大別して、屋外に設置される給湯器本体（器具本体）１０と、屋内に設置されるカード挿入口付リモコン（読み書き手段）３０とからなる。
【００２３】
給湯器本体１０は、給水路１１と出湯路１２とが接続される熱交換器１３と、熱交換器１３を流れる水を加熱するためのバーナ１４と、燃焼制御を司る本体制御部１５とを備え、給水路１１には入水流量を検出する流量センサ１６と入水温度を検出する入水温度センサ１７とが、出湯路１２には出湯温度を検出する出湯温度センサ１８が設けられる。またバーナ１４にガスを供給するガス供給路１９には、流路を開閉するメイン電磁弁２０，元電磁弁２１と、通電量に応じて開度を変化してガス供給量を調節する比例弁（ガス量調整弁）２２とが設けられる。
【００２４】
本体制御部１５は、図示しない周知の算術論理演算回路を構成するＣＰＵ，ＲＡＭ，ＲＯＭと、各種センサからの信号を入力する入力インタフェースと、各種アクチュエータに駆動信号を出力する出力インタフェース等から構成される。また出湯動作中は、カード挿入口付リモコン３０で設定された設定温度と入水温度センサ１７の検出温度と流量センサ１６の検出流量とに基づいて出湯温度を設定温度にするために必要な熱量を演算・制御するフィードフォワード制御（以下、ＦＦ制御と呼ぶ）と、出湯温度センサ１８の検出温度と設定温度との偏差に基づいてそのＦＦ制御量を補正するフィードバック制御（以下、ＦＢ制御と呼ぶ）とにより比例弁２２の開度を調節し、出湯温制御を行なう。
【００２５】
カード挿入口付リモコン３０は、挿入されたＩＣカード４０からの情報の読込み及びＩＣカード４０への情報の書込みを行なうためのカードリーダ／ライタ３１と、設定温度及び残量度数を表示するための表示部３２と、設定温度の設定等の外部操作を行なうための操作部３３と、これらを制御するリモコン制御部３４とからなる。本体制御部１５とリモコン制御部３４とはケーブル３５により接続されており、データの通信が可能となっている。
【００２６】
ＩＣカード４０は、ＥＥＰＲＯＭ（不揮発性メモリ；記憶媒体）を内蔵しており、カード表面にはカードリーダ／ライタ３１と電気的に接触するための端子４１を備える。また、暗号コードの設定によりセキュリティを維持しており、情報の読出しや偽造が困難になっている。また、前記ＥＥＰＲＯＭには、ガスの単価，先払い料金に対応するプリペイド額（残高），氏名及び部屋番号といった情報が記憶される。ここで、前記プリペイド額については、各ＩＣカードの所有者が、管理者やカード発行者にガス料金を先払いで購入することにより加算される。
【００２７】
カードリーダ／ライタ３１は、手動により挿し込まれたＩＣカード４０を定位置で保持した状態で情報の読み書きを行なう。そのため、磁気カードの読み書き装置のようにモータや磁気ヘッドといった部品が必要なく、コンパクトにしてリモコンと一体化することができる。
【００２８】
リモコン制御部３４は、ＩＣカード４０が挿入されるとカードリーダ／ライタ３１によりＥＥＰＲＯＭが記憶している情報を読込む。そして、記憶されたプリペイド額とガスの単価とから使用可能なガス量を算出する。尚、給湯器本体１０は、カード挿入口付リモコン３０を接続しない場合やカードリーダ／ライタ３１をもたない通常のリモコンを接続した場合には、使用可能なガス量に基づいたガス供給の許容・禁止等の制御が無効となり、通常の（料金後払い式の）給湯器としての使用が可能である。一方、給湯器本体１０にカード挿入口付リモコン３０を一度でも接続すると、本体制御部１５によりその情報を記憶して、その後は使用可能なガス量の残量がある場合にのみ運転を可能とする。そのため、先払いした金額に基づいたガス供給の許容・禁止制御が必要な使用態様でありながら、カード挿入口付リモコン３０を接続せずにガスを制限なく使用するといった不正使用を防止することができる。
【００２９】
表示部３２は、２桁の７セグメントＬＥＤと、７セグメントＬＥＤの表示内容を示すための「℃」ランプ，「度数」ランプとを備える。ＩＣカード４０が挿入されると、７セグメントＬＥＤにより使用可能なガス量の残量度数を２桁の数字で表示すると共に、「度数」ランプを点灯させる。また、操作部の温度設定スイッチにより設定温度の変更操作がされた場合には、７セグメントＬＥＤの表示内容を設定温度表示に切替え、「度数」ランプを消灯させて「℃」ランプを点灯させ、一定時間経過後には再び残量度数表示に切替える。このように７セグメントＬＥＤでは通常は残量度数を表示するが、設定温度の変更操作時や、操作部の表示切替えスイッチにより表示切替操作がなされた場合には、設定温度表示に切替える。また使用可能なガス量が残り少なくなった場合には、「度数」ランプを点滅させると共にブザーにて報知する。なお、表示部２２、ブザーが、本発明の報知手段に対応する。
【００３０】
次に、この給湯器の行なう制御処理について図２のフローチャートを用いて説明する。このルーチンは、ＩＣカード４０が挿入されて使用可能なガス量の残量があると判断した場合に起動する。流量センサ１６による検出流量Ｑが所定の通水流量Ｑｓを越えると（Ｓ１：ＹＥＳ）、通水ありと判断してメイン電磁弁２０，元電磁弁２１を開弁してバーナ１４にガスを供給すると共に、図示しない点火装置により点火する（Ｓ２）。そして、各センサの検出値から必要な熱量を演算して制御するＦＦ制御と、ＦＦ制御を補正するＦＢ制御とにより比例弁２２の開度を調節して出湯温制御を行なう（Ｓ３）。
【００３１】
この際、前記比例弁２２からは、開度に応じた比例弁電流が出力される。この比例弁電流の値に基づき、バーナ１４に供給されるガス流量を求める。なお、ガス流量の計量方法としては、他の方法を採用することもできる。例えば、先のステップＳ３にて求められた必要な熱量をガスの発熱量で割ることによりバーナ１４に供給されるガス流量を算出しても良い。こうして求められたガス流量を単位時間毎に積算していくことで使用ガス量を計量する（Ｓ４）とともに、この使用ガス量に基づいて、前述の使用可能なガス量Ｅを減算する（Ｓ５）。また、カードリーダ／ライタ３１では、使用可能なガス量Ｅが減算された際に、減算後のガス量Ｅに基づき前記ＩＣカード４０のプリペイド額の減算・更新処理を行う。
【００３２】
この結果、使用可能なガス量Ｅが残り少なくなり０より大に設定された所定値（第２設定値）Ｅｎを下回った場合には（Ｓ６：ＮＯ）、表示部３２の「度数」ランプを点滅させ、ブザーによる報知を行う（Ｓ８）。なお、前記所定値Ｅｎは、通常使用で一週間程度ガスが使用できる程度の値に設定されている。その後、流量センサ１６による検出流量Ｑが所定の止水流量Ｑｅを下回ることで通水なしと判断するか（Ｓ９：ＮＯ）、使用可能なガス量Ｅが０となった時点で（Ｓ７：ＮＯ）メイン電磁弁２０，元電磁弁２１を閉弁してガスの供給を遮断する（Ｓ１０）。なお、メイン電磁弁２０および元電磁弁２１が本発明の開閉弁に相当する。
【００３３】
以上のフローにより、各給湯器で使用されたガス料金がそれぞれの給湯器毎に個別精算される。
【００３４】
一方、前記管理者用ガスメータは、全給湯器に供給されるトータルのガス量を一括して計量する。前述のフローに基づく制御により、各給湯器にて使用されたガスに対応する料金については、前記使用可能なガス量Ｅを減算するという方式により、各使用者によって先払いされている。よって、管理者は、全ての給湯器において使用されたガス量の合計、すなわち、管理者用ガスメータにて計量された総ガス量に対応する料金をガス供給会社に支払うことで、集合住宅全体の（全給湯器）の使用ガス料金について精算したことになる。
【００３５】
以上説明したように、本実施形態の給湯器によれば、使用ガス量の計量については給湯器の構成要素たる比例弁２２にて行い、バーナ１４へのガス供給の許容・遮断についても給湯器の構成要素たる電磁弁２０，２１にて行うため、全給湯器に供給される総ガス量を計量するための管理用ガスメータさえ設けておけば、別途特別な装置を設ける必要がない。換言すれば、従来のガス供給制御装置を用いたもののように、各給湯器へのガス吸引口に遮断弁やガスメータ等を別途設ける必要がなくなるので、従来の方式よりも遥かに安価に料金先払い給湯システムを構築することができる。
【００３６】
本実施形態による料金先払いシステムは、集合住宅において有効であるが、特に、ワンルームマンション等の一人暮らし用に特化した集合住宅に適用するのが好適である。こうした集合住宅においては、ガスを給湯器のみに使用し、調理等は電気調理器にて行うという態様が採られている場合が多いが、従来のものでは、給湯器しかガスを使用しないにも関わらず、各給湯器毎にガスメータを設置する必要があって、過剰設備にならざるを得ないためである。その点、本実施形態においては、前述した如く、管理用ガスメータのみを設置すれば足りるため過剰設備になることがない。
【００３７】
また、給湯器本体１０は、カード挿入口付きリモコン３０が未接続の状態においては、使用可能なガス量に基づいたガス供給の許容・禁止制御を行わないため、通常の後払い式の給湯器としてのみ使用が可能となる。一方、カード挿入口付きリモコン３０が一度でも接続されると、その後は、ガス量に基づいたガス供給の許容・禁止制御が行われ、料金先払い式給湯器として使用することができる。このように、本実施形態においては、給湯器本体１０を、カード挿入付きリモコン３０の接続・未接続により、異なる二つの用途で使用することができるため、製造コスト等を抑えることが可能である。また、カード挿入口付リモコン３０を一度でも接続すると、その後は常に使用可能なガス量に基づいた制限を行なうため、ガス供給の許容・禁止制御が必要な使用態様でありながら通常のリモコンを接続して制限を受けずに（要するに、プリペイド値なしで）ガスを不正使用するのを防止することができる。さらに、器具の初期取付時等においては動作テストを行う必要があるが、このような場合、ＩＣカード４０を挿入する必要がないため余分な手間を省略することができる。更に、表示部３２の７セグメントＬＥＤは通常使用時には使用可能なガス量の残量度数を表示し、設定温度の変更操作や表示切替操作があった場合には設定温度表示に切替えることにより、残量度数表示と設定温度表示とにそれぞれ独立して表示部を設ける必要がないためコストアップを低減することができ、「度数」ランプと「℃」ランプとによりどちらが表示されているかを容易に把握することができるため使い勝手がよい。また、残量が少なくなった場合には「度数」ランプを点滅させてブザーにて報知することで、使用者が気付かない間に使用可能なガス量が無くなってガスが突然使用できなくなってしまうといった不具合を防ぐことができる。加えて、カードリーダ／ライタ３１を給湯器本体１０とは別に設けることで、給湯器本体１０を屋外に設置してもＩＣカード４０の挿抜を屋内でできるため、使い勝手がよい。
【００３８】
また、記憶媒体にＩＣカード４０を用いてカードリーダ／ライタ３１を手動による挿込み方式とすることで、コンパクトにしてリモコンと一体化することができる。更に、ＩＣカード４０に内蔵したＥＥＰＲＯＭに記憶させることで、磁気カードに比べて繰り返しの使用に強く、カードのプリペイド値が少なくなった場合には管理者やカード発行者に持って行きデータを書き換えることにより同一のカードを繰り返し使用できるため発行コストを低減することができ、また携帯にも便利である。
【００３９】
尚、本実施形態ではＩＣカード４０に記憶されたプリペイド額とガスの単価とから使用可能なガス量を算出したが、これに限ったものではなく、予めガス量をデータとして記憶していてもよい。また、本実施形態では記憶媒体にＩＣカード４０を用いたがこれに限ったものではなく、例えば磁気カードを用いてもよい。また、本実施形態では通常動作時には表示部３２の７セグメントＬＥＤに使用可能なガス量の残量度数を表示したが、これに限ったものではなく、例えば通常動作時には設定温度を表示し、ＩＣカード４０の挿抜時や表示切替操作時，残量度数が残り少なくなった場合等に残量度数表示に切替えるといった表示方法であってもよい。また、残量度数表示と設定温度表示との表示部をそれぞれ独立して設けてもよい。また、設定温度の設定機能を無くし、残量度数の制御のみを行なうようにしてもよい。また、温度設定用リモコンとカードリーダ／ライタ３１とを別体で設けてもよい。
【００４０】
以上本発明の実施形態について説明したが、本発明はこうした実施形態に何等限定されるものではなく、本発明の要旨を逸脱しない範囲において、種々なる態様で実施し得ることは勿論である。例えば、本実施形態においては、プリペイド値とガス単価とより使用可能なガス量Ｅを算出しておき、このガス量Ｅから、比例弁２２の開度等から求められる使用ガス量を減算する方法を採用したが、前述のプリペイド値を先払い金額と同じ値にしておき、使用ガス量とガス単価を乗じて使用金額に相当する値を算出し、この値を前述のプリペイド値から減じる方法等を採用することも勿論可能である。また、本実施形形態においては、集合住宅についての適用例について詳述したが、一戸建て住宅においての適用も無論可能である。なお集合住宅の概念としては、マンション、アパート、作業現場、被災地における仮設集合住宅、等が含まれる。
【００４１】
なお、本実施形態の本体制御部１５が、本発明のガス供給禁止手段と、弁制御手段に相当する。
【図面の簡単な説明】
【００４２】
【図１】本発明に係る料金後払い式給湯システムの一要素である給湯器についての概略構成図
【図２】給湯器の行なう制御処理を表わすフローチャートトである。
【符号の説明】
【００４３】
１０…給湯器本体
１４…バーナ
１５…本体制御部
１６…流量センサ
１７…温度センサ
１８…ガス供給路
１９…メイン電磁弁
２０…元電磁弁
２２…比例弁
３０…カード挿入口付リモコン
３１…カードリーダ／ライタ
３２…表示部
３３…操作部
３４…リモコン制御部
３５…ケーブル
【図１】
2006145202.tif 000003
【図２】
2006145202.tif 000004